(57)【要約】【課題】セグメントに割り当てられた情報が風雨等によって消失し難くするとともに、そのような情報を２重にセグメントに付さなくても済むようにする。【解決手段】セグメント１に印刷された複数の文字によって表されているセグメント１の割当情報をコンピュータ２１に読み取らせることによってセグメント１を管理するに際して、これら文字が写った画像をコンピュータ２１に入力し、コンピュータ２１に画像のＯＣＲ処理をさせることによってこれら文字を複数の文字コードに変換し、これらの文字コードをコンピュータ２１に登録する。【選択図】図１
2019073850.tif 000002
【特許請求の範囲】
【請求項１】
シールド工法に用いられるセグメントに印刷された複数の文字によって表されている前記セグメントの割当情報をコンピュータに読み取らせることによって前記セグメントを管理するセグメント管理方法において、
前記複数の文字が写った画像を前記コンピュータに入力し、前記コンピュータに前記画像の文字認識処理をさせることによって前記複数の文字を複数の文字コードに変換し、前記複数の文字コードを前記コンピュータに登録する
セグメント管理方法。
【請求項２】
前記セグメントに印刷された前記複数の文字が複数の行に組み分けされており、
前記文字認識処理に際して、前記コンピュータに前記画像を行毎の領域に切り出させるとともに、前記コンピュータに前記行毎の領域を文字毎の領域に切り出させ、文字コードが対応付けられた複数の照合用文字画像と前記文字毎の領域を照合することによって文字コードを決定することを行毎に前記コンピュータに行わせ、
前記複数の照合用文字画像は各行に使用される文字が写った画像である
請求項１に記載のセグメント管理方法。
【請求項３】
前記セグメントに印刷された前記複数の文字が前記割当情報の項目別に複数の領域に組分けされており、
前記文字認識処理に際して、前記コンピュータに前記複数の文字コードを前記領域毎に分けさせるとともに、前記項目毎に文字コード列又は文字コードを前記コンピュータに生成させる
請求項１又は２に記載のセグメント管理方法。
【請求項４】
前記割当情報は、少なくとも種別情報、組み方情報、テーパー情報及び製造番号情報に項目分けされている
請求項３に記載のセグメント管理方法。
【発明の詳細な説明】
【技術分野】
【０００１】
本発明は、シールド工法に利用されるセグメントを管理する方法に関する。
【背景技術】
【０００２】
特許文献１には、シールド工法に利用されるセグメントの管理方法が開示されている。具体的には、バーコードをセグメントに貼り付け、バーコードリーダによってバーコードを読み取り、バーコードが表す識別情報をパソコンに入力する。識別情報は、個々のセグメントを識別するための情報である。
【先行技術文献】
【特許文献】
【０００３】
【特許文献１】特開２００２−２１４９６号公報
【発明の概要】
【発明が解決しようとする課題】
【０００４】
ところで、通常、セグメントは屋外に保管される。よって、風雨等によってバーコードがセグメントから剥離してしまい、これにより情報が消失してしまう。
また、バーコードがコードである以上、バーコードが表す情報は作業者にとって理解することができない。そのため、バーコードとは別に文字をセグメントに印刷し、バーコードが表す情報を作業者が理解できるようにする。ところが、情報を２重にセグメントに付すことになってしまう。
【０００５】
そこで、本発明は、上記事情に鑑みてなされたものであり、本発明が解決しようとする課題は、セグメントに割り当てられた情報が風雨等によって消失し難くすることと、そのような情報を２重にセグメントに付さなくても済むようにすることである。
【課題を解決するための手段】
【０００６】
以上の課題を解決するために、シールド工法に用いられるセグメントに印刷された複数の文字によって表されている前記セグメントの割当情報をコンピュータに読み取らせることによって前記セグメントを管理するセグメント管理方法において、前記複数の文字が写った画像を前記コンピュータに入力し、前記コンピュータに前記画像の文字認識処理をさせることによって前記複数の文字を複数の文字コードに変換し、前記複数の文字コードを前記コンピュータに登録する。
【０００７】
以上によれば、複数の文字がセグメントに印刷されることによって、これら文字が表す割当情報がセグメントに付されている。印刷された文字はセグメントから離脱し難く、それゆえ、割当情報が消失し難い。また、セグメントに印刷されたものが文字であるので、これら文字が表す割当情報は作業者にとって理解可能である。
複数の文字が写った画像をコンピュータに入力し、コンピュータに画像のＯＣＲ処理をさせることによって複数の文字を複数の文字コードに変換する。これにより、これら文字が表す割当情報がコンピュータに登録される。よって、バーコードをセグメントに貼付する必要がなくなる。
【０００８】
好ましくは、前記セグメントに印刷された前記複数の文字が複数の行に組み分けされており、前記文字認識処理に際して、前記コンピュータに前記画像を行毎の領域に切り出させるとともに、前記コンピュータに前記行毎の領域を文字毎の領域に切り出させ、文字コードが対応付けられた複数の照合用文字画像と前記文字毎の領域を照合することによって文字コードを決定することを行毎に前記コンピュータに行わせ、前記複数の照合用文字画像は各行に使用される文字が写った画像である。
【０００９】
以上によれば、複数の照合用文字画像が各行に使用される文字の画像であるので、各行の文字の認識率が高い。
【００１０】
好ましくは、前記セグメントに印刷された前記複数の文字が前記割当情報の項目別に複数の領域に組分けされており、前記文字認識処理に際して、前記コンピュータに前記複数の文字コードを前記領域毎に分けさせるとともに、前記項目毎に文字コード列又は文字コードを前記コンピュータに生成させる。
【００１１】
以上によれば、割当情報の項目別に文字コード列又は文字コードを取得することができる。
【００１２】
好ましくは、前記割当情報は、少なくとも種別情報、組み方情報、テーパー情報及び製造番号情報に項目分けされている。
【００１３】
以上によれば、文字認識処理によって種別情報、組み方情報、テーパー情報及び製造番号情報を文字コード又は文字コード列として取得することができる。
【発明の効果】
【００１４】
本発明によれば、セグメントに割り当てられた割当情報が風雨等によって消失し難い上、そのような情報を２重にセグメントに付さなくても済む。
【図面の簡単な説明】
【００１５】
【図１】図１は、セグメントの管理工程図である。
【図２】図２は、セグメントを示すとともにそのセグメントに印刷された複数の文字を示す説明図である。
【図３】図３は、セグメント管理システムのブロック図である。
【発明を実施するための形態】
【００１６】
以下、図面を参照して、本発明の実施形態について説明する。但し、以下に述べる実施形態には、本発明を実施するために技術的に好ましい種々の限定が付されているが、本発明の範囲を以下の実施形態及び図示例に限定するものではない。
【００１７】
１．  セグメントの管理工程
図１は、シールド工法に使用されるセグメント１の管理工程図である。
図１に示すように、セグメント１を工場８１にて製造し、製造検査を行った後に製造済みのセグメント１を工場８１のストックヤード８２にて保管する。保管に際して、セグメント１を管理する。その後、ストックヤード８２からセグメント１を取り出し、セグメント１の検査をした上で、出荷の準備をする。出荷準備の整ったセグメント１を貨物車８３に積載して、工事現場８４へ輸送する。工事現場８４では、セグメント１の受け入れ検査をした上で、セグメント１を貨物車８３から荷卸しして、工事現場８４のストックヤード８５に一時保管する。それらセグメント１をストックヤード８５から立坑８６の底の仮置き場８７に搬入し、セグメント１の種別を確認した上、セグメント１を台車８９に積載する。施工完了済みのシールドトンネル８８内にて、台車８９によってセグメント１を仮置き場８７からシールドマシン９０のテール近くの組み立て現場まで搬送する。そして、セグメント１を台車８９から降ろす。シールドトンネル８８の突き当たりにおいては、シールドマシン９０によって切羽を掘削しつつ、シールドマシン９０を逐次前進させる。その際、エレクターを使って、シールドマシン９０のテールにセグメント１をリング状に組み立てることによって、掘削したトンネルの内周面にセグメント１を覆工する。なお、各セグメント１には固有の番号（例えば、通し番号、シリアル番号）が割り当てられている。
【００１８】
２．  セグメントの割当情報
セグメント１の検査・管理には、各セグメント１に割り当てられた割当情報を利用する。割当情報は、セグメント１ごとに固有なものでもよいし、セグメント１の種類ごとに固有なものでもよい。セグメント１ごとに固有な割当情報を固有識別情報といい、セグメント１の種類ごとに固有な割当情報を種類識別情報という。各セグメント１に割り当てられる割当情報の内容（値）は、セグメント１の表面に印刷された文字によって表されている。文字とは、コンピュータ上で文字コードが割り振られたものをいう。従って、文字コードが割り振られた約物及び記号等も文字の一種である。約物とは、言語の記述に使用する各種記号活字の総称をいい、句読点・疑問符・括弧類・アクセント・圏点等のことをいう。
【００１９】
図２は、セグメント１の表面に印刷された割当情報の表示例を示したものである。図２に示すように、セグメント１の表面の所定の印刷領域２には、割当情報の内容を表示した文字列が印刷により付されている。これら文字は２行の横組みに配列されている。つまり、１行目の印刷領域３に複数の文字が横方向に配列され、２行目の印刷領域７に複数の文字が横方向に配列されている。
【００２０】
１行目の印刷領域３は、文字種によって、中央領域５と、中央領域５よりも行頭側の領域４と、中央領域５よりも行末側の領域６とによって区分けされる。つまり、中央領域５内に使用される文字種は、それよりも行頭側の領域４内に使用される文字種と、それよりも行末側の領域６内に使用される文字種と異なる。具体的には、中央領域５内の文字種は漢字であり、行頭側の領域４内の文字種は英字、アラビア数字又は約物であり、行末側の領域６の文字種は英字、演算記号又は約物である。特に、中央領域５内に使用される文字は『甲』、『乙』に限られており、行頭側の領域４内に使用される文字は『Ａ』、『Ｂ』、『Ｋ』、『１』〜『９』、『− 「ハイフン」』に限られており、行末側の領域６に使用される文字は『Ｌ』、『Ｒ』、『Ｓ』、『（ 「開き丸括弧」』、『） 「閉じ丸括弧」』、『＝ 「イコール記号」』に限られている。なお、本明細書において、二重鉤括弧によって括弧書きされたものは、文字、データ又は情報等が表す内容（値）を意味する。
【００２１】
２行目の印刷領域７内の文字種はアラビア数字である。つまり、印刷領域７に使用される文字は『０』〜『９』に限られている。
【００２２】
各セグメント１に印刷された複数の文字は、項目別に領域４〜６に組み分けされている。各セグメント１に割り当てられた割当情報の項目としては、『種別』と『組み方』と『テーパー』と『製造番号』がある。つまり割当情報は、種別情報と、組み方情報と、テーパー情報と、製造番号情報とに項目分けされる。
種別情報の内容は、１行目の行頭側の領域４内に印刷された文字又は文字列によって表現されている。種別情報は、形状により分類したセグメント１の種別を文字又は文字列によって表現された情報を少なくとも含み、更にセグメント１を組み込む周方向の順番を文字又は文字列によって表現した情報も含むこともある。セグメント１の種別としては例えばＡ型、Ｂ型及びＫ型がある。
【００２３】
組み方情報の内容は、１行目の中央領域５内に印刷された文字又は文字列によって表現されている。組み方情報は、セグメント１の組み方を文字又は文字列によって表現した情報である。セグメント１の組み方としては、甲組み及び乙組みがある。
【００２４】
テーパー情報の内容は、１行目の行末側の領域６内に印刷された文字又は文字列によって表現されている。テーパー情報は、セグメント１から組み立てられたシールドリングのテーパーを文字又は文字列によって表現した情報である。テーパーとしては、右テーパー、左テーパーと及びストレートがある。
【００２５】
製造番号情報の内容は、２行目の領域７内に印刷された文字列によって表現されている。製造番号情報は、セグメント１の製造番号を文字又は文字列によって表現した情報である。
【００２６】
以上のように、複数の文字がセグメント１に印刷されることによって、これら文字が表す割当情報がセグメント１に付されている。セグメント１に印刷された文字は風雨等により離脱し難く、割当情報が消失し難い。
また、セグメント１に印刷されたものが文字であるので、これら文字が表す情報・意味、つまり割当情報の内容は作業者にとって理解され得るものである。
【００２７】
３．  管理システム
図１に示すように、セグメント１の検査・管理に際しては、セグメント１に印刷された割当情報の内容が写った画像データを画像入力装置２５によって端末コンピュータ２１に取り込む。端末コンピュータ２１の文字認識機能、例えばＯＣＲ（Optical Character Recognition）機能によって画像データを文字コードに変換し、割当情報の内容を文字コードとして端末コンピュータ２１に認識させる。こうして割当情報を端末コンピュータ２１に登録して、セグメント１の検査・管理を行う。例えば、割当情報の登録時刻（つまり、製品検査時刻、出荷時刻、工事現場受け入れ時刻、立坑投入時刻、仮置き場搬入時刻、組み立て現場搬入時刻）及び位置情報を割当情報と対応付けて端末コンピュータ２１に登録したり、登録した割当情報が所定の正規な情報と一致するか否かを判定したり、割当情報を端末コンピュータ２１からホストコンピュータ５１に送信してホストコンピュータ５１に登録したしたりすることによって、セグメント１の検査・管理を行う。このような画像入力処理及びＯＣＲ処理によって、セグメント１に印刷された文字が表す割当情報が端末コンピュータ２１に登録されるので、バーコードを別途セグメント１に貼付する必要がない。
【００２８】
図３を参照して、ホストコンピュータ５１及び端末コンピュータ２１等からなる管理システムについて詳細に説明する。
ホストコンピュータ５１は、ＣＰＵ、ＧＰＵ、ＲＡＭ、ＲＯＭ、システムバス及びハードウェアインタフェース等を有する。ホストコンピュータ５１には、記憶部５２、表示デバイス５３、入力デバイス５４及び通信モジュール５５が接続されている。記憶部５２は、半導体メモリ又はハードディスクドライブ等からなる記憶装置である。表示デバイス２３は、ホストコンピュータ５１によって出力された映像信号に従った表示を行うディスプレイ装置である。入力デバイス５４はキーボード、ポインティングデバイスである。通信モジュール５５は、所定の通信規格に従って端末コンピュータ２１の通信モジュール２６と通信を行う。通信モジュール５５，２６によって端末コンピュータ２１とホストコンピュータ５１との間で通信が実現される。
【００２９】
端末コンピュータ２１は、ＣＰＵ、ＧＰＵ、ＲＡＭ、ＲＯＭ、システムバス及びハードウェアインタフェース等を有する。端末コンピュータ２１には、記憶部２２、表示デバイス２３、入力デバイス２４、画像入力装置２５及び通信モジュール２６が接続されている。
【００３０】
記憶部２２は、半導体メモリ又はハードディスクドライブ等からなる記憶装置である。記憶部２２は、端末コンピュータ２１に内蔵されたものでもよいし、端末コンピュータ２１に外付けされたものでもよい。記憶部２２には、端末コンピュータ２１にとって読取可能な第一の照合用文字画像群３１及び第二の照合用文字画像群３２が格納されている。
【００３１】
第一の照合用文字画像群３１は、文字と文字背景を異なる画素値（色）で表現したラスター形式の複数の文字画像からなる。１つの文字画像につき１文字が写されている。第二の照合用文字画像群３２についても同様である。なお、照合用文字画像群３１，３２の各文字画像は、特徴抽出処理されたものでもよい。
第一の照合用文字画像群３１の各文字画像に写された文字は、１行目の印刷領域３内に使用される文字である。第一の照合用文字画像群３１の各文字画像には、文字をコード化してなる文字コードが対応付けられている。文字コードに符号化された文字は、１行目の印刷領域３内に使用される文字である。
【００３２】
第二の照合用文字画像群３２の各文字画像に写された文字は、２行目の印刷領域７内に使用される文字である。第二の照合用文字画像群３２の各文字画像には、文字をコード化してなる文字コードが対応付けられている。文字コードに符号化された文字は、２行目の印刷領域７内に使用される文字である。
【００３３】
なお、照合用文字画像群３１，３２は、記憶部２２に予め格納されたものでもよいし、ホストコンピュータ５１から端末コンピュータ２１にダウンロードされて記憶部２２に格納されたものでもよい。
【００３４】
記憶部２２には、端末コンピュータ２１によって実行可能なプログラム３０が格納されている。プログラム３０は、後述の処理を端末コンピュータ２１に実行させるものである。
【００３５】
表示デバイス２３は、例えば液晶ディスプレイデバイス、有機ＥＬディスプレイデバイス又はプロジェクタである。端末コンピュータ２１が演算処理によって映像信号を生成し、その映像信号を表示デバイス２３に出力する。そうすると、映像信号に従った画面が表示デバイス２３に表示される。
【００３６】
入力デバイス２４は、例えばスイッチ、キーボード若しくはポインティングデバイス又はこれらの組み合わせである。入力デバイス２４は、操作されると操作内容に応じた信号を端末コンピュータ２１に出力する。
【００３７】
画像入力装置２５は、例えばデジタルカメラ（撮像装置）又はイメージスキャナである。画像入力装置２５は、セグメント１の印刷領域２を含む光学画像を光電変換によってデジタルな画像（以下、入力画像という）に変換して、端末コンピュータ２１に出力する。端末コンピュータ２１は、画像入力装置２５から入力画像を取得して、記憶部２２に記憶する。作業者は画像入力装置２５を用いて、１体のセグメント１につき２回以上の画像入力を行う。従って、１体のセグメント１につき複数の入力画像が画像入力装置２５から端末コンピュータ２１に転送される。なお、入力画像が、画像入力装置２５に対して着脱可能な可搬性記憶媒体に記録されてもよい。その場合、端末コンピュータ２１にリーダー・ライターが接続され、可搬性記憶媒体がリーダー・ライターに装着されると、端末コンピュータ２１が可搬性記憶媒体に記録された入力画像を読み取ることができる。
【００３８】
続いて、プログラム３０が端末コンピュータ２１に実行させる処理について説明する。
まず、端末コンピュータ２１は、記憶部２２又は可搬性記憶媒体に記録された入力画像と第一の照合用文字画像群３１を照合することによって、１行目の印刷領域３に印刷された文字列を認識する。更に、端末コンピュータ２１は、入力画像と第二の照合用文字画像群３２を照合することによって、２行目の印刷領域７に印刷された文字列を認識する。以下、具体的に説明する。
【００３９】
まず、端末コンピュータ２１は、入力画像の画像処理及びレイアウト解析を行うことによって、入力画像内の２つの領域（印刷領域３に相当する領域と、印刷領域７に相当する領域）を認識する。そして、端末コンピュータ２１は、入力画像からこれら２つの領域を切り出す。２つの領域のうち、印刷領域３に相当する領域を１行目の領域といい、印刷領域７に相当する領域を２行目の領域という。
【００４０】
次に、端末コンピュータ２１は、切り出した１行目の領域を文字毎の領域に切り出す。
次に、端末コンピュータ２１は、文字毎の領域についてマッチング処理を行う。つまり、端末コンピュータ２１は、文字毎の領域の特徴抽出処理をした上で、文字毎の領域と第一の照合用文字画像群３１の各画像を照合する。そして、端末コンピュータ２１は、文字毎の領域に最も適合した文字画像及びそれらに対応した文字コードを決定して、それらの文字コードの列を生成する。以下、この文字コード列を１行目の文字コード列という。以上により、端末コンピュータ２１は、１行目の印刷領域３に印刷された文字列を認識する。
なお、文字毎の領域の文字認識処理には、ディープラーニングによって構築されたニューラルネットワークを利用してもよい。ここで、多数の入力データ（文字画像）及び多数の出力データ（文字コード）を端末コンピュータ２１に読み込ませると、端末コンピュータ２１によって画像特徴量を抽出し、画像特徴量に基づいて分類化する。これにより、端末コンピュータ２１によって畳み込み型又は再帰型のニューラルネットワークを構築して、端末コンピュータ２１にディープラーニング型の機械学習をさせる。文字認識処理に際しては、端末コンピュータ２１は文字毎の領域をニューラルネットワークに入力して、そのニューラルネットワークの出力として文字コードを取得する。この際、端末コンピュータ２１は、文字毎の領域から文字コードに変換した文字認識結果を用いて、ニューラルネットワークの中間層を深層化する。これにより、文字認識処理とディープラーニングが並列して行われる。
【００４１】
切り出した２行目の領域（印刷領域７に相当する領域）についても同様にして、端末コンピュータ２１が２行目の文字毎の領域と第二の照合用文字画像群３２の各文字画像を照合する。これにより、端末コンピュータ２１が２行目の印刷領域７に印刷された文字列を認識して、その文字列の文字コード列を生成する。以下、この文字コード列を２行目の文字コード列という。
また、端末コンピュータ２１は、２行目の文字コード列に対応させる項目を『製造番号』と認識する。
【００４２】
以上のような印刷領域３，７の文字列の認識後、端末コンピュータ２１は、１行目の文字コード列の中から、中央領域５内の文字に相当する文字コード（以下、中央の文字コードという）を特定する。ここで、上述したように、中央領域５内に使用される文字種が他の領域４，６に使用される文字種と異なる。特に、中央領域５内に使用される文字が特定の文字（つまり、『甲』又は『乙』）に限られている。よって、中央の文字コードが端末コンピュータ２１によって特定される。
【００４３】
そして、端末コンピュータ２１は、１行目の文字コード列を３組に分解する。つまり、端末コンピュータ２１は、１行目の文字コード列を、中央の文字コードと、それよりも行頭側の文字コード又は文字コード列と、それよりも行末側の文字コード又は文字コード列とに分解する。中央の文字コードが端末コンピュータ２１によって特定されるので、このような分解を行える。
また、端末コンピュータ２１は、認識した行頭側の文字コード又は文字コード列に対応させる項目を『種別』と認識する。更に、端末コンピュータ２１は、認識した中央の文字コードに対応させる項目を『組み方』と認識する。更に、端末コンピュータ２１は、認識した行末側の文字コード又は文字コード列に対応させる項目を『テーパー』と認識する。
【００４４】
次に、端末コンピュータ２１は、認識した行頭側の文字コード又は文字コード列と、セグメント１毎に固有の固有識別子と、項目毎に固有の項目識別子と、入力画像の文字認識をした時刻を表すタイムスタンプと、を対応付けて記憶部２２に記録する。ここで、各セグメント１には固有の番号（例えば、通し番号、シリアル番号）が割り当てられており、固有識別子の値はその番号に等しいものとする。また、ここでの項目は『種別』であり、項目識別子は『種別』を表すコードである。例えば、そのコードの値が『１』であれば、項目は『種別』となる。
【００４５】
更に、端末コンピュータ２１は、１行目の文字コード列のうち中央の文字コードと、固有識別子と、項目識別子と、タイムスタンプと、を対応付けて記憶部２２に記録する。ここでの項目は『組み方』であり、項目識別子は『組み方』を表すものである。ここでの項目は『組み方』であり、項目識別子は『組み方』を表すコードである。例えば、そのコードの値が『２』であれば、項目は『組み方』となる。
【００４６】
更に、端末コンピュータ２１は、１行目の文字コード列のうち行末側の文字コード又は文字コード列と、固有識別子と、項目識別子と、タイムスタンプと、を対応付けて記憶部２２に記録する。ここでの項目は『テーパー』であり、項目識別子は『テーパー』を表すコードである。例えば、そのコードの値が『３』であれば、項目は『テーパー』となる。
【００４７】
更に、端末コンピュータ２１は、２行目の文字コード列と、固有識別子と、項目識別子と、タイムスタンプと、を対応付けて記憶部２２に記録する。ここでの項目は『製造番号』であり、項目識別子は『製造番号』を表すコードである。例えば、そのコードの値が『４』であれば、項目は『製造番号』となる。
【００４８】
以上によって、画像入力装置２５によって印刷領域２の画像入力が行われたセグメント１に関する情報（種別情報、組み方情報、テーパー情報及び製造番号情報）が端末コンピュータ２１の記憶部２２に登録されて、管理される。
【００４９】
以上に説明したＯＣＲ処理によってセグメント１に関する情報（種別情報、組み方情報、テーパー情報及び製造番号情報）を取得するのと同様な処理が端末コンピュータ２１によって複数回繰り返される。具体的には、端末コンピュータ２１は、同一のセグメント１の別の入力画像に対してＯＣＲ処理を行って、セグメント１に関する情報を取得する。従って、同一のセグメント１につき、セグメント１に関する情報が複数記憶部２２に記録される。そして、端末コンピュータ２１は、セグメント１に関する複数の情報を相互に照合して、これら情報が全て同じであるか否かを判定する。セグメント１に関する複数の情報が全て同じであれば、端末コンピュータ２１がこれら情報を真正として判定して、真正の旨を表示デバイス２３に表示させる。一方、セグメント１に関する複数の情報に一つでも相違するものがあれば、端末コンピュータ２１がこれら情報をエラーとして判定し、エラーの旨を表示デバイス２３に表示させる。その後、再度、作業者が画像入力装置２５を用いて、１体のセグメント１につき２回以上の画像入力を行う。
【００５０】
また、端末コンピュータ２１は、上述のように対応付けた各情報をホストコンピュータ５１に送信する。そうすると、ホストコンピュータ５１が、端末コンピュータ２１から情報を受信して、記憶部５２に記録する。これにより、セグメント１に関する情報がホストコンピュータ５１の記憶部５２に登録されて、管理される。
【００５１】
４．  有利な効果
（１）  セグメント１に印刷された文字は風雨等により離脱し難いので、セグメント１に割り当てられた割当情報が消失し難い。
【００５２】
（２）  セグメント１に印刷された複数の文字が割当情報の内容を表すので、作業者が割当情報の内容を認識することができる。
【００５３】
（３）  セグメント１の製造後から組立までの各工程において、画像入力装置２５によって入力画像を端末コンピュータ２１に入力し、端末コンピュータ２１のＯＣＲ機能によって割当情報の内容を端末コンピュータ２１に登録する。よって、セグメント１の流通経路の追跡可能性、つまりトレーサビリティを実現することができる。
【００５４】
（４）  第一の照合用文字画像群３１の各画像に写された文字は１行目の印刷領域３内に使用され得る文字に限られているので、１行目の印刷領域３内の文字の認識率が高い。同様に、２行目の印刷領域７内の文字認識率が高い。特に、２行目の印刷領域７内の文字種がアラビア数字であるので、文字認識率がより向上する。
【００５５】
５．変形例
以上、本発明を実施するための形態について説明したが、上記実施形態は本発明の理解を容易にするためのものであり、本発明を限定して解釈するためのものではない。また、本発明はその趣旨を逸脱することなく変更、改良され得るとともに、本発明にはその等価物も含まれる。以下に、以上の実施形態からの変更点について説明する。以下に説明する変更点は、可能な限り組み合わせて適用してもよい。
【００５６】
（１）  セグメント１の割当情報は少なくとも種別情報、組み方情報、テーパー情報及び製造番号情報に項目分けされていればよい。つまり、割当情報は、種別情報、組み方情報、テーパー情報及び製造番号情報に加えて、更に別の情報（例えば、タイプ情報、用途情報、製造年月日情報、製造工場情報、製造元情報、製造時の品質情報）に項目分けされてもよい。
【００５７】
（２）  上記実施形態では、端末コンピュータ２１がＯＣＲ機能を有していた。ホストコンピュータ５１もＯＣＲ機能を有していてもよい。この場合、画像入力装置２５によって入力画像が端末コンピュータ２１に入力されると、端末コンピュータ２１がその端末コンピュータ２１に固有の端末識別子を入力画像、画像入力時刻及び位置情報に対応付けて、これら端末識別子、入力画像、画像入力時刻及び位置情報をホストコンピュータ５１に送信する。そして、ホストコンピュータ５１がＯＣＲ機能によって入力画像から１行目の中央の文字コードと、１行目の行頭側の文字コード又は文字コード列と、１行目の行末側の文字コード又は文字コード列と、２行目の文字コード列とを生成する。そして、ホストコンピュータ５１は、これらの文字コード又は文字コード列を固有識別子、項目識別子、端末識別子、タイムスタンプ（画像入力時刻）及び位置情報に対応付けて記憶部５２に記録する。
【符号の説明】
【００５８】
１…セグメント
２…印刷領域
３…１行目の印刷領域
４…１行目の行頭側の領域
５…１行目の中央領域
６…１行目の行末側の領域
７…２行目の印刷領域
２１…端末コンピュータ
２２…記憶部
２５…画像入力装置
３０…プログラム
３１…第一の照合用文字画像群
３２…第二の照合用文字画像群
５１…ホストコンピュータ
５２…記憶部
８８…シールドトンネル
９０…シールドマシン
【図１】
2019073850.tif 000003
【図２】
2019073850.tif 000004
【図３】
2019073850.tif 000005